(57)【要約】  第１の材料を含む本体と、第２の材料を含むストライクフェースと、を有するゴルフクラブであって、第１の材料の密度が第２の材料の密度より高く、第１の材料の密度と第２の材料の密度との比が約１．７以上である、ゴルフクラブヘッドの実施形態が、本明細書に記載されている。【選択図】図６
2018515276.tif 000002
【特許請求の範囲】
【請求項１】
第１の比重を有する第１の材料を備える本体であって、上部と、前記上部とは反対の下部と、ヒールと、前記ヒールとは反対のトウと、後端部と、を備える、前記本体と、
第２の比重を有する第２の材料を含むストライクフェースと、を備え、
前記第２の比重が前記第１の比重より小さく、
前記第１の比重と前記第２の比重との比が約１．７以上である、
ゴルフクラブヘッド。
【請求項２】
前記第１の比重と前記第２の比重との比が約１．７〜約３．５である、請求項１に記載のゴルフクラブヘッド。
【請求項３】
前記第１の比重が約７．８以上である、請求項１に記載のゴルフクラブヘッド。
【請求項４】
前記第１の比重が約８．０以上である、請求項１に記載のゴルフクラブヘッド。
【請求項５】
前記第１の比重が約９．０以上である、請求項１に記載のゴルフクラブヘッド。
【請求項６】
前記第１の比重が約１１．０以上である、請求項１に記載のゴルフクラブヘッド。
【請求項７】
前記第１の比重が約１３．０以上である、請求項１に記載のゴルフクラブヘッド。
【請求項８】
前記第２の比重が約４．６以下である、請求項１に記載のゴルフクラブヘッド。
【請求項９】
前記クラブヘッドは、ウッド型のクラブヘッドである、請求項１に記載のゴルフクラブヘッド。
【請求項１０】
前記クラブヘッドは、アイアン型のクラブヘッドである、請求項１に記載のゴルフクラブヘッド。
【請求項１１】
前記クラブヘッドは、パター型のクラブヘッドである、請求項１に記載のゴルフクラブヘッド。
【請求項１２】
７．８を超える第１の比重を有する第１の材料を備える本体であって、上部と、前記上部とは反対の下部と、ヒールと、前記ヒールとは反対のトウと、後端部と、を備える、前記本体と、
４．６以下の第２の比重を有する第２の材料を備えるストライクフェースと、を備え、
前記第２の比重が前記第１の比重より小さく、
前記第１の比重と前記第２の比重との比が約１．７以上である、
ゴルフクラブヘッド。
【請求項１３】
前記第１の材料が、７．５重量％以上のタングステンと、７．５重量％以上のニッケルと、を有する鋼合金を備える、請求項１２に記載のゴルフクラブヘッド。
【請求項１４】
前記第２の材料がチタン合金を備える、請求項１３に記載のゴルフクラブヘッド。
【請求項１５】
前記第１の比重と前記第２の比重との比が約２．０以上である、請求項１２に記載のゴルフクラブヘッド。
【請求項１６】
前記第１の比重と前記第２の比重との比が約２．５以上である、請求項１２に記載のゴルフクラブヘッド。
【請求項１７】
前記第１の比重と前記第２の比重との比が約３．０以上である、請求項１２に記載のゴルフクラブヘッド。
【請求項１８】
前記第１の比重と前記第２の比重との比が約３．５以上である、請求項１２に記載のゴルフクラブヘッド。
【請求項１９】
第１の比重を有する第１の材料から作られる本体であって、上部と、前記上部とは反対の下部と、ヒールと、前記ヒールとは反対のトウと、後端部と、を有する、前記本体を設けるステップと、
第２の比重を有する第２の材料から作られたストライクフェースを設けるステップであって、記第２の比重が前記第１の比重より小さく、前記第１の比重と前記第２の比重との比が約１．７以上である、前記ステップと、
前記ストライクフェースを前記本体に結合してクラブヘッドを形成するステップと、
を備える、
ゴルフクラブヘッドを製造する方法。
【発明の詳細な説明】
【技術分野】
【０００１】
（関連出願の相互参照）
本出願は、参照により本明細書に完全に組み込まれている、２０１５年５月２２日に出願された米国仮特許出願第６２／１６５，７１２号及び２０１６年１月２６日に出願された米国仮特許出願第６２／２８７，１９６号の優先権を主張する。
【０００２】
本開示は、高密度本体及び低密度フェースを有するゴルフクラブヘッドに関する。詳細には、本開示は、ウッド型ゴルフクラブヘッド、アイアン型ゴルフクラブヘッド、ウェッジ型ゴルフクラブヘッド、及び、パター型ゴルフクラブヘッドに関する。
【背景技術】
【０００３】
ゴルフクラブヘッドには、ウッド型クラブヘッド（例えば、ドライバ及びフェアウェイウッド）、アイアン型クラブヘッド（例えば、アイアン及びウェッジ）、及び、パター型クラブヘッドが含まれる。ゴルフクラブヘッドの設計は様々であり、一般に、ヘッド重心位置を最適化し、クラブヘッドの慣性モーメントを増加させることを目的とする。ヘッド重心位置は、ゴルフボールの方向、軌道、距離、及びスピンを含む、ゴルフクラブの性能特性に影響する。クラブヘッドの慣性モーメントの増加により、オフセンターヒットの場合のボールの軌道及び方向の一貫性が高まる。多くのゴルフクラブヘッドは、ウェイトポート又はインサートを使用することにより、ヘッド重心位置を最適化し、クラブヘッドの慣性モーメントを増加させるように設計される。これらの設計は、複雑な製造プロセス及び組立てプロセスを必要とする場合がある。加えて、ウェイトポートの使用は、クラブヘッドの全体的な空気力学に影響することがある。従って、当分野では、ゴルフクラブヘッドの重量をより均一に分散させて、重心位置を最適化し、クラブヘッドの慣性モーメントを増加できるようにすることが求められている。
【図面の簡単な説明】
【０００４】
【図１】実施形態のゴルフクラブヘッドの正面斜視図である。
【図２】図１のゴルフクラブヘッドの側断面図である。
【図３】図１のゴルフクラブヘッドの別の正面斜視図である。
【図４】図１のゴルフクラブヘッドの別の側断面図である。
【図５】図１のゴルフクラブヘッドの別の側断面図である。
【図６】別の実施形態のゴルフクラブヘッドの側断面図である。
【図７】別の実施形態のゴルフクラブヘッドの側断面図である。
【図８】別の実施形態のゴルフクラブヘッドの正面斜視図である。
【図９】図８のゴルフクラブヘッドの線２−２に沿った斜視断面図である。
【図１０】図８のゴルフクラブヘッドの別の正面斜視図である。
【図１１】図８のゴルフクラブヘッドの線４−４に沿った別の斜視断面図である。
【図１２】図８のゴルフクラブヘッドの線４−４に沿った別の斜視断面図である。
【図１３】別の実施形態のゴルフクラブヘッドの後面斜視図である。
【図１４】図１３のゴルフクラブヘッドの線７−７に沿った斜視断面図である。
【図１５】本発明の実施形態によるゴルフクラブヘッドを製造する例示的な方法のフローチャートである。
【０００５】
本開示の他の態様は、詳細な説明及び添付図面を検討することにより明らかになろう。
【０００６】
図示の単純化及び明瞭化のために、図面は概略的な構成を示し、周知の特徴及び技法に関する説明及び詳細は、本開示を不必要に曖昧にするのを避けるために省略される場合がある。さらに、図面内の要素は、必ずしも縮尺通りに描かれていない。例えば、これらの図面中の要素のうちの一部の寸法が、本開示の実施形態の理解の向上を助けるために、他の要素に対して誇張される場合がある。異なる図面中の同一の参照数字は、同一の要素を示す。
【発明を実施するための形態】
【０００７】
以下で説明する実施形態において、ゴルフクラブヘッドは、高密度材料から作られた本体と、より低密度の材料から作られたフェースと、を備える。本体の材料の比重とフェースの材料の比重との比は、約１．７以上であり得る。フェースよりも実質的に高い密度を持つ本体を有するクラブヘッドは、クラブヘッドの慣性モーメントを増加させ、高密度本体及びより低密度のフェースのないクラブヘッドよりも、ヘッド重心をクラブヘッドの下部近くに位置決めする。クラブヘッドの下部側に重心を位置決めすることにより、ウッド型クラブヘッドでは、ボールにかかるスピンを低減させ、アイアン型クラブヘッドでは、ボールのローンチ角を増加させる。本体に高密度材料を使用し、フェースにより低密度の材料を使用することにより、重心から離れたクラブヘッドの最外周囲への重量の分散を最大化して、クラブヘッドの慣性モーメントを最大化する。さらに、本体に高密度材料を使用してクラブヘッドの慣性モーメントを増加させることは、ウェイトポート及びウェイトインサートを使用することに比べて、高い慣性モーメントを有するクラブヘッドを製造するより簡単な手段を提供する。高密度本体及び低密度フェースを使用してクラブヘッドの慣性モーメントを増加させ、ヘッド重心位置を最適化することができると、クラブヘッドの所望の性能特性の達成を助け得る。
【０００８】
説明及び特許請求の範囲内の、「第１の」、「第２の」、「第３の」、「第４の」などの用語は、もしあれば、類似する要素の区別に使用され、必ずしも特定の逐次的又は経時的順序の説明に使用されない。そのように使用される用語は、適切な状況下では交換可能であり、よって、本明細書に記載される実施形態は、例えば、本明細書に例示される又は他の方法で記載されるものとは異なる順序で操作可能である。さらに、「含む」及び「有する」という用語ならびにそれらの任意の変化形は、非排他的包含を網羅することが意図され、よって、要素の一覧を含む、プロセス、方法、システム、物品、デバイス、もしくは装置が、それらの要素に必ずしも限定されず、明示的に列記されない、又は、係るプロセス、方法、システム、物品、デバイス、もしくは装置に固有の他の要素を含んでよい。
【０００９】
説明及び特許請求の範囲内の、「左」、「右」、「前」、「後」、「上部」、「下部」、「〜の上」、「〜の下」などの用語は、もしあれば、説明のために使用され、必ずしも永久相対位置を説明するために使用されない。そのように使用される用語は、適切な条件下では交換可能であり、よって、本明細書に記載される装置、方法、及び／又は製造物品の実施形態は、例えば、本明細書に例示される又は他の方法で記載されるものとは別の配向で操作可能である。
【００１０】
本開示の実施形態について詳細に説明する前に、本開示は、その適用が、以下の説明に記載され、以下の図面に示される構成の詳細及び部品の配置に限定されないことを理解されたい。本開示は、他の実施形態が可能であり、様々な方法で実行又は実施することが可能である。
【００１１】
図１〜図５は、本体１０と、ストライクフェース１４と、ヘッド重心１６と、を有するゴルフクラブヘッド１００の実施形態を示す。ストライクフェース１４は、幾何学的中心１８と、前面２２と、後面２６と、を含む。本体１０は、上部３０と、上部３０とは反対の下部３４と、ヒール４０と、ヒール４０とは反対のトウ４４と、前端部４６と、前端部４６とは反対の後端部４８と、ホーゼル軸５６を画定するホーゼル５２と、を含む。一部の実施形態において、ホーゼル５２は、切欠き又は凹部（図示せず）を含んでもよい。
【００１２】
図１〜図５の例示した実施形態において、ストライクフェース１４は、クラブヘッド１００の前端部４６の一部を画定し、台形状である。さらに、ストライクフェース１４の前面２２は複数の溝５８を含む。
【００１３】
図１、図２は、地面１１００に対してアドレス位置にあるクラブヘッド１００を示す。図１は、ホーゼル軸５６が、クラブヘッド１００の正面図において、地面１１００とある角度で位置決めされることを示す。さらに、ホーゼル軸５６は、クラブヘッド１００の側面図において、地面１１００に直交する。クラブヘッド１００のストライクフェース１４は、ストライクフェース１４の幾何学的中心１８に接するロフト面１２００と、ストライクフェース１４の幾何学的中心１８を通って延びる前面１３００と、を画定する。前面１３００は、クラブヘッド１００がアドレス位置にあるときに、地面１１００に直交する。
【００１４】
図３〜図４を参照すると、ヘッド重心１６が、ｘ軸１４００、ｙ軸１５００、及び、ｚ軸１６００を含む座標系の原点を画定する。ｘ軸１４００、ｙ軸１５００、及び、ｚ軸１６００は、互いに垂直である。ｘ軸１４００は、クラブヘッド１００のヒール４０からトウ４４へ、ヘッド重心１６を通って、ロフト面１２００に平行に延びる。ｙ軸１５００は、クラブヘッド１００の上部３０から下部３４へ、ヘッド重心１６を通って、ロフト面１２００に平行に延びる。ｚ軸１６００は、クラブヘッド１００のストライクフェース１４から後端部４８へ、ヘッド重心１６を通って、ロフト面１２００に直交して延びる。
【００１５】
図示した実施形態において、図５を参照すると、本体１０は、第１の支持部材６４と、第２の支持部材６８と、を含む。第１の支持部材６４は、本体１０の上部３０及びストライクフェース１４の後端部４８に隣接する。第２の支持部材６８は、本体１０の下部３４及びストライクフェース１４の後端部４８に隣接する。第１の支持部材６４は、第１の長さ７２及び第１の幅７６を有し、第２の支持部材６８は、第２の長さ８２及び第２の幅８６を有する。第１の支持部材６４の第１の長さ７２は、本体１０により支持されるストライクフェース１４の上部（即ちストライクフェース１４の上部３０の近くの部分）のフェース高さに対する長さ７２を画定する。さらに、第２の支持部材６８の第２の長さ８２は、本体１０により支持されるストライクフェース１４の下部（即ちストライクフェース１４の下部３４の近くの部分）のフェース高さに対する長さ８２を画定する。
【００１６】
図５を続けて参照すると、本体１０は、さらに、キャビティ９０を含む。キャビティ９０は、ストライクフェース１４の後面２６からずれて、本体１０の後端部４８近くに配置される。例示した実施形態において、キャビティ９０は開いており、ウェイト（図示省略）を受容するように構成される。さらに、例示した実施形態において、キャビティ９０は、矩形状であり、ヒール４０及び／又はトウ４４に対する様々な位置で一定の形状及び断面積を有する。
【００１７】
図６は、本体１０と、ストライクフェース１４と、ヘッド重心と、を有するゴルフクラブヘッド２００の別の実施形態を示す。ストライクフェース１４は、幾何学的中心と、前面２２と、後面２６と、を含む。本体１０は、上部３０と、上部３０とは反対の下部３４と、ヒールと、ヒールとは反対のトウと、前端部４６と、前端部４６とは反対の後端部４８と、ホーゼル軸を画成するホーゼルと、を含む。一部の実施形態において、ホーゼルは、切欠き又は凹部（図示省略）を含んでもよい。
【００１８】
例示した実施形態において、図６を参照すると、ストライクフェース１４の上部及び下部は、クラブヘッド２００の本体１０により支持される。ストライクフェース１４の上部は、第１の長さ７２に沿って本体１０により支持され、ストライクフェース１４の下部は、第２の長さ８２に沿って本体１０により支持される。
【００１９】
図６を続けて参照すると、本体１０は、さらに、キャビティ９０を含む。キャビティ９０は、ストライクフェース１４の後面２６からずれて、本体１０の後端部４８近くに配置される。例示した実施形態において、キャビティ９０は開いており、ウェイト（図示省略）を受容するように構成される。さらに、例示した実施形態において、キャビティ９０は、三角形状であり、ヒール及び／又はトウに対する様々な位置で一定の形状を有する。キャビティ９０の断面積は、クラブヘッド２００のヒール及び／又はトウからの位置によって変化する。例えば、ストライクフェース１４の後面２６からキャビティ９０がずれる距離は、キャビティ９０の中心近くよりもヒール及びトウの近くで大きい。従って、キャビティ９０の断面積は、キャビティ９０の中心と比べてヒール及びトウの近くで減少する。
【００２０】
図７は、本体１０と、ストライクフェース１４と、ヘッド重心１６と、を有するゴルフクラブヘッド３００の別の実施形態を示す。ストライクフェース１４は、幾何学的中心と、前面２２と、後面２６と、を含む。本体１０は、上部３０と、上部３０とは反対の下部３４と、ヒールと、ヒールとは反対のトウと、前端部４６と、前端部４６とは反対の後端部４８と、ホーゼル軸を画成するホーゼルと、を含む。一部の実施形態において、ホーゼルは、切欠き又は凹部（図示省略）を含んでもよい。
【００２１】
例示した実施形態において、図７を参照すると、ストライクフェース１４の上部及び下部は、クラブヘッド３００の本体１０によって支持される。ストライクフェース１４の上部は、第１の長さ７２に沿って本体１０によって支持され、ストライクフェース１４の下部は、第２の長さ８２に沿って本体１０によって支持される。
【００２２】
図７を続けて参照すると、本体１０は、さらに、キャビティ９０を含む。キャビティ９０は、ストライクフェース１４の後面２６に直接的に隣接しており、本体１０の後端部４８近くに配置される。例示した実施形態において、キャビティ９０は開いており、ウェイト（図示省略）を受容するように構成される。さらに、例示した実施形態において、キャビティ９０は、矩形状であり、ヒール及び／又はトウに対する様々な位置で一定の形状及び断面積を有する。
【００２３】
図８〜図１２は、本体１０と、ストライクフェース１４と、ヘッド重心１６と、を有するゴルフクラブヘッド４００の別の実施形態を示す。ストライクフェース１４は、幾何学的中心１８と、前面２２と、後面２６と、を含む。本体１０は、上部３０と、上部３０とは反対の下部３４と、ヒール４０と、ヒール４０とは反対のトウ４４と、前端部４６と、前端部４６とは反対の後端部４８と、ホーゼル軸５６を画定するホーゼル５２と、を含む。一部の実施形態において、ホーゼル５２は、切欠き又は凹部（図示省略）を含んでよい。
【００２４】
図８〜図１２の例示した実施形態において、ストライクフェース１４は、クラブヘッド４００の前端部４６の一部を画定し、台形状である。ストライクフェース１４は、突出する後面２６を含む。ストライクフェース１４の前面２２は、さらに、複数の溝５８を含む。
【００２５】
例示した実施形態において、図１２を参照すると、ストライクフェース１４の上部及び下部は、クラブヘッド４００の本体１０によって支持される。ストライクフェース１４の上部は、第１の長さ７２に沿って本体１０によって支持され、ストライクフェース１４の下部は、第２の長さ８２に沿って本体１０にそって支持される。
【００２６】
図１２を続けて参照すると、本体１０は、さらに、キャビティ９０を含む。キャビティ９０は、ストライクフェース１４の突出する後面２６に直接的に隣接しており、本体１０の後端部４８近くに配置される。例示した実施形態において、キャビティ９０は開いており、ウェイト（図示省略）を受容するように構成される。さらに、例示した実施形態において、キャビティ９０は、矩形状であり、ヒール４０及び／又はトウ４４に対する様々な位置で一定の形状を有する。
【００２７】
図１３、図１４は、本体１０と、ストライクフェース１４と、ヘッド重心１６と、を有するゴルフクラブヘッド５００の別の実施形態を示す。ストライクフェース１４は、幾何学的中心と、前面２２と、後面２６と、を含む。本体１０は、上部３０と、上部３０とは反対の下部３４と、ヒール４０と、ヒール４０とは反対のトウ４４と、前端部４６と、前端部４６とは反対の後端部４８と、ホーゼル軸を画定するホーゼルと、を含む。一部の実施形態において、ホーゼルは、切欠き又は凹部（図示せず）を含んでよい。
【００２８】
図１３、図１４の例示した実施形態において、ストライクフェース１４は、クラブヘッドの前端部４６の一部を画定し、台形状である。ストライクフェース１４は、凹状の後面２６と、前面２２の複数の溝５８と、を含む。
【００２９】
例示した実施形態において、図１４を参照すると、ストライクフェース１４の上部及び下部は、クラブヘッド５００の本体１０によって支持される。ストライクフェース１４の上部は、第１の長さ７２に沿って本体１０によって支持され、ストライクフェース１４の下部は、第２の長さ８２に沿って本体１０によって支持される。例示した実施形態において、本体１０は、さらに、キャビティ９０を含む。キャビティ９０は囲まれており、クラブヘッド５００の中空内部９２を画定する。
【００３０】
図１、図３、及び図１０を参照すると、多くの実施形態において、本明細書に記載されたクラブヘッド（例えばクラブヘッド１００、４００、５００）のストライクフェース１４は、クラブヘッドの前端部４６の一部を画定し、台形状である。他の実施形態において、ストライクフェース１４はクラブヘッドの前端部４６全体を画定することができる。さらに、他の実施形態において、ストライクフェースは、多角形、又は、例えば円形、楕円形、正方形、矩形、三角形、もしくは、本体１０の前端部４６に位置決め可能な他の形状などの少なくとも１つの曲面を有する形状を含む任意の形状であってもよい。
【００３１】
図１、図３、及び図１０を参照すると、多くの実施形態において、本明細書に記載されたクラブヘッド（例えばクラブヘッド１００、４００、５００）のストライクフェース１４は、複数の溝５８を含む。他の実施形態において、ストライクフェース１４の前面２２に溝５８がなくてもよく、又は、ストライクフェース１４の前面２２の一部が溝５８を含んでもよい。例えば、溝は、ストライクフェース１４の前面２２の０％超〜１００％未満の割合に及ぶことができる。例えば、溝５８は、ストライクフェース１４の前面２２の約１０％、２０％、３０％、４０％、５０％、６０％、７０％、８０％、９０％、又は、０％超〜１００％未満の他の割合に及ぶことができる。
【００３２】
図１〜図１４を参照すると、多くの実施形態において、本明細書に記載されたクラブヘッド（例えばクラブヘッド１００、２００、３００、４００、５００）は、キャビティ９０を含む。他の実施形態において、クラブヘッドにキャビティがなくてもよい。さらに、他の実施形態において、クラブヘッドは開いた、又は、囲まれたキャビティを含んでもよい。さらに、クラブヘッドは、矩形、正方形、円形、楕円形、台形、又は、他の多角形、又は、少なくとも１つの曲面を有する形状などの任意の断面形状を有するキャビティを含むことができる。他の実施形態において、クラブヘッドは、ヒール４０からトウ４４まで一定の断面形状を持つキャビティを有してもよく、又は、クラブヘッドは、ヒール４０からトウ４４まで変化する断面形状を持つキャビティを有してもよい。
【００３３】
図１〜図１４を参照すると、クラブヘッド（例えばクラブヘッド１００、２００、３００、４００、５００）の本体１０は、第１の密度及び第１の体積を有する第１の材料を含む。本体１０の第１の密度は第１の比重に対応する。この第１の比重は、第１の密度と摂氏４度（４℃）の水の密度との比である。
【００３４】
クラブヘッド（例えばクラブヘッド１００、２００、３００、４００、５００）の本体１０は、第１の材料を含む。一部の実施形態において、第１の材料は、単一の材料を含んでいてもよい。一部の実施形態において、第１の材料は、各々が異なる密度及び異なる比重を有する材料の組合せ又は複数の材料を含んでいてもよい。これらの実施形態において、本体１０の複数の材料の各密度は、クラブヘッドの本体１０の第１の密度となるように平均され得る。同様に、本体１０の複数の材料の各比重は、本体１０の第１の比重となるように平均され得る。
【００３５】
第１の材料は、７．８を超える第１の比重を有する任意の適切な材料であってよい。例えば、第１の材料は、約７．８〜１４の第１の比重を有することができる。即ち、第１の材料は、約７．９、８．０、８．１、８．２、８．３、８．４、８．５、８．６、８．７、８．８、８．９、９．０、９．１、９．２、９．３、９．４、９．５、９．６、９．７、９．８、９．９、１０、１０．１、１０．２、１０．３、１０．４、１０．５、１０．６、１０．７、１０．８、１０．９、１１．０、１１．５、１２．０、１２．５、１３．０、１３．５、１４．０以上、又は７．８を超える他の値の第１の比重を有することができる。
【００３６】
第１の材料は、ビスマス、黄銅、カドミウム、コバルト、エルビウム、ハフニウム、ホルミウム、鉛、鉛鉱、酸化鉛、ルテチウム、モリブデン、ニッケル、オスミウム、パラジウム、レニウム、ロジウム、ルテニウム、銀、タンタル、タリウム、トリウム、ツリウム、タングステン、炭化タングステン、ウラン、その他の金属、複合材料、金属合金、又は、その他の均質材料もしくは不均質材料を含む任意の適切な材料であってもよく、第１の材料の第１の比重は約７．８を超える。第１の材料は、７．８を超える比重を有することができるが、アルミニウム、ケイ素鉄、グラファイト、インジウム、鉄、鋳鉄、練鉄、方鉛鉱、マンガン、ニッケル、ポリカーボネート、ポリエチレン、ポリエーテルイミド、ポリフェニレンスルフィド、ポリメチルペンテン、セレン、鋼（全ての種類）、スズ、チタン、バナジウム、亜鉛、又は、これらの他の合金など７．８未満の比重を有する材料を含む第１の材料（例えば、金属合金）の一部を有してもよい。
【００３７】
例えば、第１の材料は、約１８〜１９．５重量％のクロム、約８．０〜９．５重量％のニッケル、約８．０〜１０．０重量％のタングステンを有し、残りの合金組成が鉄及び他の微量元素（例えば炭素、ケイ素、マンガン、銅、モリブデン）を含む鋼合金であってもよい。この例では、第１の材料は、約８．２５の比重を有する。
【００３８】
さらなる例として、第１の材料は、約６．０〜７．０重量％のクロム、約１９〜２０重量％のニッケル、約１５．５〜１６．５重量％のタングステンを有し、残りの合金組成が鉄及び他の微量元素（例えば炭素、ケイ素、マンガン、銅、モリブデン）を含む鋼合金であってもよい。この例では、第１の材料は、約８．８０の比重を有する。
【００３９】
さらなる例として、第１の材料は、約１２〜１３．５重量％のクロム、約４８〜５０重量％のニッケル、約１８．０〜２１．５重量％のタングステン、約１．５〜２．０重量％のモリブデンを有し、残りの合金組成が鉄及び他の微量元素（例えば炭素、ケイ素、マンガン、及び銅）を含む鋼合金であってもよい。この例では、第１の材料は、約９．３０の比重を有する。
【００４０】
第１の材料が鋼合金を含む例では、タングステン組成を増加させることにより、第１の材料の比重を高めることができる。一部の例において、鋼合金を含む第１の材料は、７．５重量％以上のタングステン、８．０重量％以上のタングステン、９．０重量％以上のタングステン、１０重量％以上のタングステン、１５重量％以上のタングステン、又は、２０重量％以上のタングステンを含むことができる。さらに、第１の材料が鋼合金を含む例では、ニッケル組成を増加させることにより、第１の材料の比重を高めることができる。一部の例において、鋼合金を含む第１の材料は、７．５重量％以上のニッケル、１０重量％以上のニッケル、１５重量％以上のニッケル、２５重量％以上のニッケル、３０重量％以上のニッケル、又は、４５重量％以上のニッケルを含むことができる。
【００４１】
例示した実施形態において、クラブヘッド（例えばクラブヘッド１００、２００、３００、４００、５００）のストライクフェース１４は、第２の密度及び第２の体積を有する第２の材料から作られる。ストライクフェース１４の第２の密度は、第２の比重に対応する。この第２の比重は、第２の密度と摂氏４度（４℃）の水の密度との比である。
【００４２】
クラブヘッド（例えばクラブヘッド１００、２００、３００、４００、５００）のストライクフェース１４は、第２の材料を含む。一部の実施形態において、第２の材料は、単一の材料を含んでいてもよい。他の実施形態において、第２の材料は、各々が異なる密度及び異なる比重を有する複数の材料を含んでいてもよい。これらの実施形態において、ストライクフェース１４の複数の材料の各密度は、クラブヘッド（例えばクラブヘッド１００、２００、３００、４００、５００）のストライクフェース１４の第２の密度となるように平均され得る。同様に、ストライクフェース１４の複数の材料の各比重は、ストライクフェース１４の第２の比重となるように平均され得る。さらに、他の実施形態において、ストライクフェース１４の第２の材料は可変密度及び可変比重を有してもよく、第２の材料の平均密度が第２の密度であり、第２の材料の平均比重が第２の比重である。
【００４３】
第２の材料は、約４．６以下の第２の比重を有する任意の適切な材料であってもよい。例えば、第２の材料は、約２．０〜約４．５の第２の比重を有することができる。即ち、第２の材料は、約２．０、２．１、２．２、２．３、２．４、２．５、２．６、２．７、２．８、２．９、３．０、３．１、３．２、３．３、３．４、３．５、３．６、３．７、３．８、３．９、４．０、４．１、４．２、４．３、４．４、４．５、又は、約４．６以下の他の値の第２の比重を有することができる。一部の実施形態において、第２の材料は、約４．６、４．５、４．４、４．３、４．２、４．１、４．０、３．９、３．８、３．７、３．６、３．５、３．３、３．３、３．２、３．１、又は３．０以下の第２の比重を有することができる。
【００４４】
第２の材料は、バリウム、ベリリウム、エポキシ、ガラス、グラファイト、石膏、炭化鉄、鉄スラグ、マンガン、磁鉄鉱、プラスチック、ポリカーボネート、ポリエチレン、ポリエーテルイミド、ポリフェニレンスルフィド、ポリメチルペンテン、ポリイミド、ポリプロピレン、ポリスルホン、ポリウレタン、ルビジウム、セレン、スカンジウム、チタン、チタン合金（例えばＴｉ−６−４）、その他の金属、複合材料、金属合金、又は、その他の均質材料もしくは不均質材料を含む任意の適切な材料であってもよく、第２の材料の第２の比重は、約４．６以下である。第２の材料は、４．６未満の比重を有することができるが、アルミニウム青銅合金、ビスマス、黄銅、カドミウム、コバルト、エルビウム、ケイ素鉄、方鉛鉱、グラファイト、ハフニウム、ホルミウム、インジウム、鉄、鋳鉄、練鉄、鉛、鉛鉱、酸化鉛、ルテチウム、モリブデン、ニッケル、オスミウム、ロジウム、ルテニウム、鋼（全ての種類）、タンタル、タリウム、トリウム、ツリウム、スズ、タングステン、バナジウム、亜鉛、又は、これらの他の合金などの、４．６超の比重を有する材料を含む第２の材料（例えば、金属合金）の特定の部分を有してもよい。
【００４５】
例示した実施形態において、第１の比重は第２の比重よりも実質的に大きい。即ち、第１の比重と第２の比重との比は約１．７以上である。例えば、第１の比重と第２の比重との比は、約１．７〜３．５、約１．８〜３．５、約１．９〜３．５、約１．８〜３．０、又は約１．９〜３．０であってもよい。即ち、第１の比重と第２の比重との比は、約１．７、１．７２、１．７４、１．７６、１．７８、１．８、１．８２、１．８４、１．８６、１．８８、１．９、２．０、２．１、２．２、２．３、２．４、２．５、２．６、２．７、２．８、２．９、３．０、３．１、３．２、３．３、３．４、３．５、又は、約１．７を超える他の値であってもよい。
【００４６】
第１の比重及び第２の比重は、第１の密度及び第２の密度のそれぞれに直接関係する。従って、本体１０の第１の密度は、ストライクフェース１４の第２の密度よりも大きい。逆に、ストライクフェース１４の第２の密度は、本体１０の第１の密度よりも小さい。
【００４７】
多くの実施形態において、本明細書で説明するクラブヘッド（例えばクラブヘッド１００、２００、３００、４００、５００）により、本体１０の第１の比重とストライクフェース１４の第２の比重との比がより小さい類似のクラブヘッドよりも、ヘッド重心１６がクラブヘッドの下部３４の近くに位置決めされる。ヘッド重心１６の位置がクラブヘッドの下部３４により近いことによって、ウッド型クラブヘッド（例えば、ドライバ、フェアウェイウッド、及びハイブリッド）の場合にボールにかかるスピンを低減させ、アイアン型クラブヘッド（例えば、アイアン及びウェッジ）の場合にボールのランチ角を増加させる。
【００４８】
本明細書で説明するように、クラブヘッド（例えばクラブヘッド１００、２００、３００、４００、５００）により、本体１０の第１の比重とストライクフェース１４の第２の比重との比がより小さい類似のクラブヘッドと比べて、クラブヘッドの慣性モーメントがさらに増加する。一般に、ヘッド重心１６から離れて分散される重量又は質量が増加するにつれて、クラブヘッドの慣性モーメントが増加する。ストライクフェース１４の第２の材料に対して高い密度を有する本体１０の第１の材料により、ヘッド重心１６から離れて位置する重量が増加するため、クラブヘッド１００の慣性モーメントが増加する。さらに、本体１０の第１の材料に対して低い密度を有するストライクフェース１４の第２の材料により、ヘッド重心１６の近くに位置する重量が低減するため、クラブヘッド１００の慣性モーメントが増加する。
【００４９】
クラブヘッド（例えばクラブヘッド１００、２００、３００、４００、５００）の慣性モーメントの増加により、ボールの方向、軌道、及び距離の一貫性が高まる。即ち、ｙ軸１５００周りのクラブヘッドの慣性モーメントが増加すると、ボールの方向の一貫性が高まり、ｘ軸１４００周りのクラブヘッドの慣性モーメントが増加すると、ボールの軌道及び距離の一貫性が高まる。言い換えると、ｙ軸１５００及びｘ軸１４００周りのクラブヘッド１００の慣性モーメントが増加すると、オフセンターヒットをクラブヘッド１００のオンセンターヒットと同様に作用させることができる。
【００５０】
多くの実施形態において、クラブヘッド（例えばクラブヘッド１００、２００、３００、４００、５００）であって、第１の比重と第２の比重とが上述した比を有するクラブヘッド１００、２００、３００、４００、５００の場合、第１の比重と第２の比重との比がより小さい類似のクラブヘッドと比べて、ｙ軸１５００周りのクラブヘッドの慣性モーメントが最大約３０％まで増加し、ｘ軸１４００周りのクラブヘッドの慣性モーメントが最大約２０％まで増加する。
【００５１】
本明細書で説明した、増加した慣性モーメントを有するクラブヘッド（例えばクラブヘッド１００、２００、３００、４００、５００）は、所望の許容性又は他の性能特性を達成するためにウェイトを組み込む必要性、又は、クラブヘッドのサイズを大きくする必要性をなくすことができる。一般的に、クラブヘッドの慣性モーメントを増加させるために、クラブヘッドのサイズを大きくし、ウェイトを組み込む。クラブヘッド内のウェイトをなくすことにより、製造ステップの数が減り、在庫の量が減り、材料コストが減ることによって、製造プロセスを簡単にすることができる。
【００５２】
本体が高密度の第１の材料を有し、フェースが低密度の第２の材料を有することによって、クラブヘッドの慣性モーメントを増加させたクラブヘッド（例えばクラブヘッド１００、２００、３００、４００、５００）によって、クラブヘッドの慣性モーメントを増加させるためにウェイト部材を使用するクラブヘッドと比べて、より均一なクラブヘッド１００の外観も得られる。さらに、クラブヘッドの均一な外観によって、空気力学的な利点が得られるため、スイング速度が速くなる。従って、ボールの飛距離が増加し得る。
【００５３】
高密度の第１の材料から作られた本体１０を有するクラブヘッド（例えばクラブヘッド１００、２００、３００、４００、５００）は、製造中及び衝撃時に同様の力に耐えるために、より低密度の第１の材料よりも低い降伏強度を必要とし得る。従って、より低い降伏強度を有する高密度の第１の材料を使用可能であるため、クラブヘッドを容易に曲げることができ、所望のロフト角及びライ角を達成することによって、製造がさらに簡単になり得る。材料の降伏強度がより低いことによってクラブヘッドの曲げが容易になると、ホーゼルの切欠き又は凹部が不要になり得る。切欠きは、通常、曲げの間にクラブヘッドの本体から応力を逸らすために使用されるからである。さらに、高密度の第１の材料から作られた本体１０を有するクラブヘッドは、クラブヘッドの減衰特性を向上させて、衝撃時のクラブヘッドの騒音及び振動を防ぐことができる。
【００５４】
図１５は、本発明の実施形態による、クラブヘッド（例えばクラブヘッド１００、２００、３００、４００、５００）を製造する例示的な方法を示す。方法は、第１の比重を有する第１の材料から作られ、上部３０と、上部３０とは反対の下部３４と、ヒール４０と、ヒール４０とは反対のトウ４４と、後端部４８と、を有する本体１０を設けるステップと、第２の比重を有する第２の材料から作られたストライクフェース１４を設けるステップと、ストライクフェース１４を本体１０に結合してクラブヘッドを形成するステップと、を含む。
【００５５】
クラブヘッド（例えばクラブヘッド１００、２００、３００、４００、５００）を製造する方法は例示的なものにすぎず、本明細書に示す実施形態に限定されるものではない。この方法を、本明細書に詳細に図示又は記載されていない多くの異なる実施形態又は実施例で使用することができる。一部の実施形態において、記載された方法のプロセスを適切な順序で実行することができる。他の実施形態において、プロセスの１つ又は複数を組み合わせても、切り離しても、省いてもよい。
【００５６】
クラブヘッド（例えばクラブヘッド１００、２００、３００、４００、５００）の本体１０を、鋳造、機械加工、ラピッドプロトタイピング、層ごとの印刷、選択的レーザ焼結、直接金属レーザ焼結、ステレオリソグラフィ、３Ｄ印刷、又は、他の方法により製造することができる。同様に、クラブヘッドのストライクフェース１４を、鋳造、機械加工、ラピッドプロトタイピング、層毎の印刷、選択的レーザ焼結、直接金属レーザ焼結、ステレオリソグラフィ、３Ｄ印刷、又は、他の方法により製造することができる。本体１０とストライクフェース１４とを、スエージ加工、溶接、ろう付け、又は、本体１０をストライクフェース１４に連結可能な他の方法により組み立てることができる。
【００５７】
例示した実施形態において、クラブヘッド（例えばクラブヘッド１００、２００、３００、４００、５００）は、アイアン型クラブヘッドとして示される。しかしながら、クラブヘッドは、ウッド型クラブヘッド（例えば、ドライバもしくはフェアウェイウッド）、アイアン型クラブヘッド（例えば、アイアンもしくはウェッジ）、又は、パター型クラブヘッドを含む任意のタイプのクラブヘッドであってもよい。
【００５８】
（実施例）
（実施例１）
一実施例において、８．２５の第１の比重を有する第１の材料から作られた本体１０と、４．４の比重を有する第２の材料から作られたストライクフェース１４と、を有する図１〜図５に示すクラブヘッド１００は、７．８の比重を有する第１の材料から作られた本体１０と、４．６の比重を有する第２の材料から作られたストライクフェース１４と、を有する同様のクラブヘッドと比べて、ｙ軸１５００周りのクラブヘッドの慣性モーメントが最大約１５％増加し、ｘ軸１４００周りのクラブヘッドの慣性モーメントが最大約５％増加することを示した。
【００５９】
本実施例において、第１の材料は、約１８〜１９．５重量％のクロム、約８．０〜９．５重量％のニッケル、約８．０〜１０．０重量％のタングステンを有し、残りの合金組成は鉄及び他の微量元素（例えば炭素、ケイ素、マンガン、銅、モリブデン）を含む鋼合金を含む。さらに、本実施例において、第２の材料は、約６重量％のアルミニウム、４重量％のバナジウムを有し、残りの組成はチタン及び他の微量元素（例えば酸素及び鉄）を含むチタン合金（Ｔｉ−６−４）を含む。
【００６０】
（実施例２）
別の実施例において、約９．３の第１の比重と、約４．４の第２の比重と、を有する図１〜図５に示すクラブヘッド１００（即ち、第１の比重と第２の比重との比が約２．２７である例示的なクラブヘッド１００）により、以下の表１に示すように、第１の比重と第２の比重との比が１．７未満である類似のクラブヘッド（即ち、コントロールクラブヘッド）と比べて、ｘ軸１４００周りの慣性モーメント（Ｉｘｘ）が平均で７．３％増加し、ｙ軸１５００周りの慣性モーメント（Ｉｙｙ）が平均で７．２％増加した。
【００６１】
本実施例において、第１の材料は、約１２〜１３．５重量％のクロム、約４８〜５０重量％のニッケル、約１８．０〜２１．５重量％のタングステン、約１．５〜２．０重量％のモリブデンを有し、残りの合金組成は鉄及び他の微量元素（例えば炭素、ケイ素、マンガン、及び銅）を含む鋼合金を含む。さらに、本実施例において、第２の材料は、約６重量％のアルミニウム、４重量％のバナジウムを有し、残りの組成はチタン及び他の微量元素（例えば酸素及び鉄）を含むチタン合金（Ｔｉ−６−４）を含む。
【００６２】
【表１】
2018515276.tif 000003
【００６３】
本実施例において、コントロールクラブヘッドの第１の比重は約７．８であり、コントロールクラブヘッドの第２の比重は約７．８であり、コントロールクラブヘッドの第１の比重と第２の比重との比は約１．０である。さらに、本実施例において、クラブヘッド１００及びコントロールクラブヘッドのｘ軸１４００周りの慣性モーメントとｙ軸１５００周りの慣性モーメントとは、全米ゴルフ協会（ＵＳＧＡ）のゴルフクラブヘッドの慣性モーメントを測定する手順、改訂１．０、２００６年４月を使用して判定された。表１は上記の結果を示す。
【００６４】
１つ又は複数の記載された要素の置き換えは、再構築であって修正ではない。さらに、利益、他の利点、及び問題の解決手段が、特定の実施形態に関連して説明されている。しかしながら、利益、利点、問題の解決手段、ならびに、任意の利益、利点、又は解決手段をもたらし又は顕著にし得る１つ又は複数の要素は、特許請求の範囲のいずれか又はすべての不可欠な、必要な、又は必須の特徴もしくは要素と解釈されるべきではない。
【００６５】
ゴルフのルールは時々変わることがあるため（例えば、全米ゴルフ協会（ＵＳＧＡ）、英国ゴルフ協会（Ｒ＆Ａ）のようなゴルフ標準化組織及び／又は管理機関によって、新しい規制が採用される、又は古いルールが削除もしくは修正されることがある）、本明細書で説明した装置、方法、及び製造物品に関連するゴルフ用具は、任意の特定の時点でゴルフのルールに適合することも適合しないこともある。従って、本明細書で説明した装置、方法、及び製造物品に関連するゴルフ用具は、適合する又は適合しないゴルフ用具として、広告される、販売用に供される、かつ／又は販売される可能性がある。本明細書で説明した装置、方法、及び製造物品は、この点について限定されない。
【００６６】
上記の例は、ドライバ型ゴルフクラブに関連して説明することがされ得るが、本明細書で説明した装置、方法、及び製造物品は、フェアウェイウッド型ゴルフクラブ、ハイブリッド型ゴルフクラブ、アイアン型ゴルフクラブ、ウェッジ型ゴルフクラブ、又はパター型ゴルフクラブなど他のタイプのゴルフクラブに適用され得る。又は、本明細書で説明した装置、方法、及び製造物品は、ホッケースティック、テニスラケット、釣り竿、スキーストックなど他のタイプのスポーツ用品に適用され得る。
【００６７】
さらに、本明細書に開示した実施形態及び限定は、実施形態及び／又は限定が、（１）特許請求の範囲に明示されていない、かつ（２）均等論に基づいて特許請求の範囲における明示的な要素及び／又は限定の均等物であるか、又は潜在的な均等物である場合、供与の原則に基づいて一般に供与されることはない。
【００６８】
本開示の様々な特徴及び利点が以下の特許請求の範囲に記載される。
【図１】
2018515276.tif 000004
【図２】
2018515276.tif 000005
【図３】
2018515276.tif 000006
【図４】
2018515276.tif 000007
【図５】
2018515276.tif 000008
【図６】
2018515276.tif 000009
【図７】
2018515276.tif 000010
【図８】
2018515276.tif 000011
【図９】
2018515276.tif 000012
【図１０】
2018515276.tif 000013
【図１１】
2018515276.tif 000014
【図１２】
2018515276.tif 000015
【図１３】
2018515276.tif 000016
【図１４】
2018515276.tif 000017
【図１５】
2018515276.tif 000018
【手続補正書】
【提出日】平成30年1月29日(2018.1.29)
【手続補正１】
【補正対象書類名】明細書
【補正対象項目名】００６８
【補正方法】変更
【補正の内容】
【００６８】
本開示の様々な特徴及び利点が以下の特許請求の範囲に記載される。
以下の項目は、国際出願時の特許請求の範囲に記載の要素である。
（項目１）
第１の比重を有する第１の材料を備える本体であって、上部と、前記上部とは反対の下部と、ヒールと、前記ヒールとは反対のトウと、後端部と、を備える、前記本体と、
第２の比重を有する第２の材料を含むストライクフェースと、を備え、
前記第２の比重が前記第１の比重より小さく、
前記第１の比重と前記第２の比重との比が約１．７以上である、
ゴルフクラブヘッド。
（項目２）
前記第１の比重と前記第２の比重との比が約１．７〜約３．５である、項目１に記載のゴルフクラブヘッド。
（項目３）
前記第１の比重が約７．８以上である、項目１に記載のゴルフクラブヘッド。
（項目４）
前記第１の比重が約８．０以上である、項目１に記載のゴルフクラブヘッド。
（項目５）
前記第１の比重が約９．０以上である、項目１に記載のゴルフクラブヘッド。
（項目６）
前記第１の比重が約１１．０以上である、項目１に記載のゴルフクラブヘッド。
（項目７）
前記第１の比重が約１３．０以上である、項目１に記載のゴルフクラブヘッド。
（項目８）
前記第２の比重が約４．６以下である、項目１に記載のゴルフクラブヘッド。
（項目９）
前記クラブヘッドは、ウッド型のクラブヘッドである、項目１に記載のゴルフクラブヘッド。
（項目１０）
前記クラブヘッドは、アイアン型のクラブヘッドである、項目１に記載のゴルフクラブヘッド。
（項目１１）
前記クラブヘッドは、パター型のクラブヘッドである、項目１に記載のゴルフクラブヘッド。
（項目１２）
７．８を超える第１の比重を有する第１の材料を備える本体であって、上部と、前記上部とは反対の下部と、ヒールと、前記ヒールとは反対のトウと、後端部と、を備える、前記本体と、
４．６以下の第２の比重を有する第２の材料を備えるストライクフェースと、を備え、
前記第２の比重が前記第１の比重より小さく、
前記第１の比重と前記第２の比重との比が約１．７以上である、
ゴルフクラブヘッド。
（項目１３）
前記第１の材料が、７．５重量％以上のタングステンと、７．５重量％以上のニッケルと、を有する鋼合金を備える、項目１２に記載のゴルフクラブヘッド。
（項目１４）
前記第２の材料がチタン合金を備える、項目１３に記載のゴルフクラブヘッド。
（項目１５）
前記第１の比重と前記第２の比重との比が約２．０以上である、項目１２に記載のゴルフクラブヘッド。
（項目１６）
前記第１の比重と前記第２の比重との比が約２．５以上である、項目１２に記載のゴルフクラブヘッド。
（項目１７）
前記第１の比重と前記第２の比重との比が約３．０以上である、項目１２に記載のゴルフクラブヘッド。
（項目１８）
前記第１の比重と前記第２の比重との比が約３．５以上である、項目１２に記載のゴルフクラブヘッド。
（項目１９）
第１の比重を有する第１の材料から作られる本体であって、上部と、前記上部とは反対の下部と、ヒールと、前記ヒールとは反対のトウと、後端部と、を有する、前記本体を設けるステップと、
第２の比重を有する第２の材料から作られたストライクフェースを設けるステップであって、記第２の比重が前記第１の比重より小さく、前記第１の比重と前記第２の比重との比が約１．７以上である、前記ステップと、
前記ストライクフェースを前記本体に結合してクラブヘッドを形成するステップと、
を備える、
ゴルフクラブヘッドを製造する方法。
【国際調査報告】
2018515276.tif 000019